【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
指示体との間に静電容量が形成されるタッチパネルと、
前記静電容量の大きさに応じた信号の出力値を算出する信号算出機構と、
前記信号の出力値と閾値とを比較して、前記指示体と前記タッチパネルとが接触したか否か、及び前記指示体と前記タッチパネルが離脱したか否かを判定する接触判定機構と、
前記指示体と前記タッチパネルとの接触を判定した後から離脱を判定するまでの間において、第１単位時間に前記信号の出力値の増加が検出された場合に、前記指示体と前記タッチパネルとが離脱した否かの判定に使用する第１閾値を更新する閾値算出機構と、を備えることを特徴とするタッチセンサ装置。
【請求項２】
前記閾値算出機構は、前記信号の出力値の増加が検出された場合に、増加したと判断した当該信号の出力値よりも小さくなるように前記第１閾値を更新することを特徴とする請求項１に記載のタッチセンサ装置。
【請求項３】
０．０２秒〜０．２秒の前記第１単位時間において前記信号の出力値が増加したか否かを判断する信号比較機構をさらに備えることを特徴とする請求項１又は２に記載のタッチセンサ装置。
【請求項４】
前記接触判定機構は、前記指示体と前記タッチパネルとが接触したか否かの判定には、定数である第２閾値を使用することを特徴とする請求項１〜３のいずれか一項に記載のタッチセンサ装置。
【請求項５】
第２単位時間において、前記信号の変化である第１差分値を算出する差分算出機構をさらに備え、
前記接触判定機構は、前記指示体と前記タッチパネルが離脱したか否かの判定において、前記第１差分値の絶対値が第３閾値よりも大きい場合に離脱したと判定することを特徴とする請求項１〜４のいずれか一項に記載のタッチセンサ装置。
【請求項６】
第２単位時間において、前記信号の変化である第１差分値を算出する差分算出機構をさらに備え、
前記接触判定機構は、前記指示体と前記タッチパネルとが接触したか否かの判定において、前記第１差分値の絶対値が第３閾値よりも大きい場合に接触したと判定することを特徴とする請求項１〜５のいずれか一項に記載のタッチセンサ装置。
【請求項７】
前記信号の変化の大きさを判定する変化判定機構をさらに備え、
前記差分算出機構は、第３単位時間において、前記信号の変化である第２差分値を算出し、
前記変化判定機構は、前記第２差分値と第４閾値との比較により前記指示体の接近に伴う信号の変化か否かを判定することを特徴とする請求項５又は６に記載のタッチセンサ装置。
【請求項８】
前記第２単位時間は、前記第２差分値が前記第４閾値以上となる時点から、前記第２差分値が第４閾値以下となる時点までであることを特徴とする請求項７に記載のタッチセンサ装置。
【請求項９】
前記第２単位時間の上限値を３２ミリ秒〜８０ミリ秒の間に設定することを特徴とする請求項５〜８のいずれか１項に記載のタッチセンサ装置。
【請求項１０】
前記第４閾値は前記第３閾値を前記第２単位時間の上限値で除算した値とすることを特徴とする請求項７〜９のいずれか１項に記載のタッチセンサ装置。
【請求項１１】
前記指示体と前記タッチパネルとの接触する位置座標を算出する位置算出機構をさらに備え、
前記信号算出機構は、前記タッチパネルの各チャンネルの信号を基に、前記信号の出力値を算出し、
前記位置算出機構は、前記各チャンネルの信号から、前記指示体以外の要素の接近に伴う信号成分を減算した値を基に前記位置座標を算出することを特徴とする請求項７〜１０のいずれか一項に記載のタッチセンサ装置。
【請求項１２】
前記位置算出機構は、前記第４閾値以下の前記第２差分値と前記第２単位時間を基に外挿入して、前記指示体以外の要素の接近に伴う信号成分を算出することを特徴とする請求項１１に記載のタッチセンサ装置。
【請求項１３】
前記指示体による静電容量が影響していない状態において、前記タッチパネルに形成された静電容量の大きさに応じたベースラインを算出する基準算出機構と、をさらに備え、
前記信号算出機構は、前記指示体によって形成された静電容量と前記ベースラインから前記信号の出力値を算出することを特徴とする請求項１〜１２のいずれか一項に記載のタッチセンサ装置。
【請求項１４】
指示体をタッチパネルに接近させて前記指示体と前記タッチパネルとが接触したと判定された後、前記指示体と前記タッチパネルとの距離を単調に増加させた場合に、前記指示体と前記タッチパネルが離脱したと判定されたときの前記指示体と前記タッチパネル間の第１距離と、
前記指示体を前記タッチパネルに接近させて前記指示体と前記タッチパネルとが接触したと判定された後、前記指示体と前記タッチパネルとの距離を増加と減少を繰り返しながら次第に長くした場合に、前記指示体と前記タッチパネルが離脱したと判定されたときの前記指示体と前記タッチパネル間の第２距離と、
を比較した場合に、前記第１距離は前記第２距離よりも短いことを特徴とするタッチセンサ装置。
【請求項１５】
請求項１〜１４のいずれか一項に記載のタッチセンサ装置を備えることを特徴とする電子機器。
【請求項１６】
指示体との間で静電容量を形成する導電層も兼ねる対向電極と、
配線と、
前記対向電極と前記配線との間に介在する液晶と、
前記配線の少なくとも一部を浮遊させるスイッチ部と、を備えることを特徴とする請求項１５に記載の電子機器。
【請求項１７】
対向電極と、
配線と、
前記対向電極と前記配線との間に介在する液晶と、
指示体との間で静電容量を形成する導電層と、
前記対向電極と前記導電層との間に設けられる絶縁性基板と、
前記導電層面に印加する交流電圧を前記対向電極にも同時に印加するスイッチ部と、を備えることを特徴とする請求項１５に記載の電子機器。
【手続補正２】
【補正対象書類名】明細書
【補正対象項目名】００１０
【補正方法】変更
【補正の内容】
【００１０】
特許文献３には、物品のタッチパネルからの離脱時間を計算するステップと、離脱時間が参考時間より大きければ、ジェスチャー信号を送出するステップと、を包含するタッチパネルのハンドジェスチャー検出方法が開示されている。また、特許文献４には、感応量が設定時間内に増加の傾向を維持すれば、物品のタッチパネルに対する接触を表示する静電容量式タッチパネルの物品検出方法が開示されている。
【手続補正３】
【補正対象書類名】明細書
【補正対象項目名】００３１
【補正方法】変更
【補正の内容】
【００３１】
本発明の第１視点によれば、指示体との間に静電容量が形成されるタッチパネルと、静電容量の大きさに応じた信号の出力値を算出する信号算出機構と、信号の出力値と閾値とを比較して、指示体とタッチパネルとが接触したか否か、及び指示体とタッチパネルが離脱したか否かを判定する接触判定機構と、指示体とタッチパネルとの接触を判定した後から離脱を判定するまでの間において、第１単位時間に信号の出力値の増加が検出された場合に、指示体とタッチパネルとが離脱した否かの判定に使用する第１閾値を更新する閾値算出機構と、を備えるタッチセンサ装置が提供される。
【手続補正４】
【補正対象書類名】明細書
【補正対象項目名】００３２
【補正方法】変更
【補正の内容】
【００３２】
本発明の第２視点によれば、指示体をタッチパネルに接近させて指示体とタッチパネルとが接触したと判定された後、指示体とタッチパネルとの距離を単調に増加させた場合に、指示体とタッチパネルが離脱したと判定されたときの指示体とタッチパネル間の第１距離と、指示体をタッチパネルに接近させて指示体とタッチパネルとが接触したと判定された後、指示体とタッチパネルとの距離を増加と減少を繰り返しながら次第に長くした場合に、指示体とタッチパネルが離脱したと判定されたときの指示体とタッチパネル間の第２距離と、を比較した場合に、第１距離は第２距離よりも短いタッチセンサ装置が提供される。
【手続補正５】
【補正対象書類名】明細書
【補正対象項目名】００４１
【補正方法】変更
【補正の内容】
【００４１】
上記第１視点の好ましい形態によれば、タッチセンサ装置は、第２単位時間当たりの信号の変化の大きさである第１差分値を算出する差分算出機構をさらに備える。接触判定機構は、指示体とタッチパネルが離脱したか否かの判定において、第１差分値の絶対値が第３閾値よりも大きい場合に離脱したと判定する。
【手続補正６】
【補正対象書類名】明細書
【補正対象項目名】００４２
【補正方法】変更
【補正の内容】
【００４２】
上記第１視点の好ましい形態によれば、接触判定機構は、指示体とタッチパネルが離脱したか否かの判定において、信号の出力値と閾値との比較は、第１差分値の絶対値が第３閾値以下である場合に実施する。
【手続補正７】
【補正対象書類名】明細書
【補正対象項目名】００４５
【補正方法】変更
【補正の内容】
【００４５】
上記第１視点の好ましい形態によれば、第２単位時間は、指示体がタッチパネルに接触した際の信号の変化時間、又は指示体がタッチパネルから離脱した際の信号の変化時間である。
【手続補正８】
【補正対象書類名】明細書
【補正対象項目名】００５７
【補正方法】変更
【補正の内容】
【００５７】
本発明の第４視点によれば、指示体とタッチパネル間に形成される静電容量の大きさに応じた信号の出力値を算出する工程と、信号の出力値が第２閾値より大きい場合に、指示体とタッチパネルとが接触していると判定する工程と、信号の出力値が第１閾値以下である場合に、指示体とタッチパネルが離脱していると判定する工程と、指示体とタッチパネルとの接触を判定した後から離脱を判定するまでの間において、第１単位時間に信号の出力値が増加したかを検出する工程と、第１単位時間に信号の出力値が増加した場合に、第１閾値を更新する工程と、を含むタッチセンサ装置の制御方法が提供される。
【手続補正９】
【補正対象書類名】明細書
【補正対象項目名】００６１
【補正方法】変更
【補正の内容】
【００６１】
上記第４視点の好ましい形態によれば、タッチセンサ装置の制御方法は、第２単位時間当たりの信号の変化の大きさである第１差分値を算出する工程と、をさらに含む。指示体とタッチパネルとの接触を判定する工程において、第１差分値の絶対値が第３閾値よりも大きい場合に指示体とタッチパネルとが接触していると判定する。指示体とタッチパネルの離脱を判定する工程において、第１差分値の絶対値が第３閾値よりも小さい場合に指示体とタッチパネルが離脱していると判定する。
【手続補正１０】
【補正対象書類名】明細書
【補正対象項目名】００６２
【補正方法】変更
【補正の内容】
【００６２】
上記第４視点の好ましい形態によれば、指示体とタッチパネルとの接触を判定する工程において、第１差分値の絶対値が第３閾値以下である場合に、第２閾値と信号の出力値とを比較する。指示体とタッチパネルの離脱を判定する工程において、第１差分値の絶対値が第３閾値以上である場合に、第１閾値と信号の出力値とを比較する。
【手続補正１１】
【補正対象書類名】明細書
【補正対象項目名】００６３
【補正方法】変更
【補正の内容】
【００６３】
上記第４視点の好ましい形態によれば、第２単位時間は、指示体がタッチパネルに接触した際の信号の変化時間、又は指示体がタッチパネルから離脱した際の信号の変化時間である。